(57)【特許請求の範囲】
【請求項１】
掘削ロッドの下端部先端に接続された掘削ヘッド内において、中空ロッドの外周に、２つ割り半円筒体を接続してなる円筒体拡大刃ホルダーを設け、該ホルダーは、その内面に母線方向に延長する適宜溝幅の回転規制溝を設け、その外周面における相対する位置に母線方向に間隔をあけて平行する２枚板構成のブラケットを突設すると共に、該ブラケットの各一側辺に規制板をそれぞれ固定し、該ブラケット間に適宜の開き窓を開設してなり、該両ブラケットに、その基部と一側直線部を設けてなる拡大刃を軸により、それぞれ中空ロッドの軸心線との垂直面上で揺動自在に支持してなり、
上記中空ロッドの外周面の上記規制溝に対応する位置に、該規制溝の溝幅よりも小幅の回転規制突起を突設すると共に、上記開き窓を通して上記拡大刃の基部近くの内側辺に接する位置に駆動部材を突出させてなり、
上記ホルダーに複数の拡大刃を、掘削ロッドの正転時に内方への閉縮方向へ、逆転時に外方への拡開方向へそれぞれ土砂の抵抗を受けうる位置関係で揺動自在に支持し、
上記掘削ロッドに、該掘削ロッドの上記相対的逆転により上記拡大刃を、上記中空ロッドに突設された駆動部材によって外方へ揺動させ、未掘削土に刃先を食いこませるべくした、
掘削ロッドの拡大刃開閉装置。
【発明の詳細な説明】
【０００１】
【発明の属する技術分野】
本発明は、下端に球根部を有する場所打ちコンクリート杭の造成等に使用される拡大刃つきスクリューオーガ等掘削ロッドの拡大刃開閉装置に関する。
【０００２】
【従来の技術】
従来、スクリューオーガの拡大刃開閉装置として、スクリューロッド先端の掘削ヘッド中間部に、一対の拡大刃を正転時（通常の掘削時）に土砂の抵抗により内方へ閉縮し、逆転時に土砂の抵抗により外方へ拡開するように水平面上で揺動自在に軸支したものが知られている。
【０００３】
しかし、上記の従来装置は、スクリューオーガにより所定深さまで掘進したところで、拡大掘りを行うべくスクリューオーガを逆転させた場合、上記拡大刃が掘削ヘッドの掘削径内に閉縮しているため、柔らかい掘削土砂や薬液により軟弱化した土砂の抵抗によっては拡開できない場合が生じる。
【０００４】
【発明が解決しようとする課題】
本発明は、必要時に拡大刃を確実に拡開させることを課題とする。
【０００５】
【課題を解決するための手段】
そこで本発明は、
掘削ロッドの下端部先端に接続された掘削ヘッド内において、中空ロッドの外周に、２つ割り半円筒体を接続してなる円筒体拡大刃ホルダーを設け、該ホルダーは、その内面に母線方向に延長する適宜溝幅の回転規制溝を設け、その外周面における相対する位置に母線方向に間隔をあけて平行する２枚板構成のブラケットを突設すると共に、該ブラケットの各一側辺に規制板をそれぞれ固定し、該ブラケット間に適宜の開き窓を開設してなり、該両ブラケットに、その基部と一側直線部を設けてなる拡大刃を軸により、それぞれ中空ロッドの軸心線との垂直面上で揺動自在に支持してなり、
上記中空ロッドの外周面の上記規制溝に対応する位置に、該規制溝の溝幅よりも小幅の回転規制突起を突設すると共に、上記開き窓を通して上記拡大刃の基部近くの内側辺に接する位置に駆動部材を突出させてなり、
上記ホルダーに複数の拡大刃を、掘削ロッドの正転時に内方への閉縮方向へ、逆転時に外方への拡開方向へそれぞれ土砂の抵抗を受けうる位置関係で揺動自在に支持し、
上記掘削ロッドに、該掘削ロッドの上記相対的逆転により上記拡大刃を、上記中空ロッドに突設された駆動部材によって外方へ揺動させ、未掘削土に刃先を食いこませるべくした、
掘削ロッドの拡大刃開閉装置を提案する。
以下図面を参照して本発明の実施例について説明する。
【０００６】
【実施例】
スクリューロッド（１）およびその先端に接続された掘削ヘッド（２）からなるスクリューオーガ（Ｓ）において、上記掘削ヘッド（２）の中間部の二重らせん羽根を除いた部分に一対の拡大刃（３）、（３）およびその開閉装置（Ａ）を設けてある。
【０００７】
拡大刃（３）、（３）は次のようである。掘削ヘッド（２）における中空ロッド（４）の外周に、２つ割り半円筒体をボルト（６）…、ナット（７）…によりフランジ接続してなるほぼ円筒状の拡大刃ホルダー（５）を同心的関係で取りつけ、該ホルダー（５）の外周面における直径方向の相対する位置に、母線方向に間隔をあけて平行する２枚板構成のブラケット（８）（８）、（８）（８）を突設し、両ブラケットに拡大刃（３）、（３）を、軸（９）、（９）により中空ロッド（４）の軸心線との垂直面上で揺動自在に支持してある。
【０００８】
上記拡大刃（３）、（３）は平面からみて上記中空ロッド（４）を中心とする４分の１円弧に回曲したもので、上記スクリューオーガ（Ｓ）の正転（通常の掘削回転）とともに図１、２矢印方向に回転したときは、土砂の抵抗により内方へ閉縮して掘削ヘッド（２）の掘削円内に収納されるが、スクリューオーガの逆転とともに逆転したときは、土砂の抵抗により上記軸（９）、（９）を中心に上記掘削ヘッドの掘削円の外方へ揺動拡開可能の位置関係にある。（１０）、（１０）は２枚板のブラケット（８）（８）、（８）（８）の各一側辺に固定した規制板で、拡大刃（３）、（３）の基部の一側直線部（１１）、（１１）を拡開時にそれに当接してそれ以上の拡開を規制する。
【０００９】
上記拡大刃を確実に拡開させる拡大刃開閉装置（Ａ）は次のようである。上記拡大刃ホルダー（５）の円筒状ホルダー本体（５’）内面に、母線方向へ延長する適宜溝幅の回転規制溝（１２）、（１２）を設けると共に、上記中空ロッド（４）の外周面の上記規制溝（１２）、（１２）に対応する位置に、該規制溝（１２）、（１２）の溝幅よりも小幅の回転規制突起（１３）、（１３）を突設し、該突起（１３）、（１３）を溝（１２）、（１２）内に位置させることにより、該規制溝（１２）、（１２）の幅の広い角度分だけ上記拡大刃ホルダー（５）と中空ロッド（４）とが相対的に回転するが、上記角度分（相対的回転可能角度）を超える回転においては、上記規制突起（１３）、（１３）が規制溝（１２）、（１２）の正または逆転方向溝壁に当接することにより両者（５）、（４）が一体となって同方向に回転するようにしてある。
【００１０】
一方、上記ホルダー本体（５’）の周壁における上記２枚構成のブラケット（８）（８）、（８）（８）の間に、それぞれ適宜幅の開き窓（１４）、（１４）を開設すると共に、上記中空ロッド（４）の外周面の上記開き窓（１４）、（１４）に対応する位置に、該開き窓（１４）、（１４）の窓幅よりも小幅の拡大刃駆動カム（１５）、（１５）を突設し、該カム（１５）、（１５）をそれぞれ上記開き窓（１４）、（１４）を通して上記拡大刃（３）、（３）の基部近くの内側辺に接する位置に突出させている。
【００１１】
この場合、上記ホルダー（５）を静止状態において中空ロッド（４）を正逆転させれば、該中空ロッド（４）は上記相対的回転可能角度だけそれぞれ回転し、そのうち中空ロッド（４）の正転時には、上記駆動カム（１５）、（１５）が十分な閉縮位置にある拡大刃（３）、（３）の基部内側辺に接しているが、中空ロッド（４）の逆転時には、上記駆動カム（１５）、（１５）が拡大刃（３）、（３）の基部内側辺を押して該拡大刃を若干外方へ揺動させ、それにより図４のように拡大刃（３）、（３）の刃先部分を上記掘削ヘッド（２）の掘削円外へ突出させ、未掘削土に食いこみ可能の位置におく。
【００１２】
上例の作用は次のようである。スクリューオーガ（Ｓ）を正転させ、その掘削ヘッド（２）により地盤に縦孔を掘削しつつ掘削土砂をスクリューロッド（１）により上方へ搬送して掘進していく。上記スクリューオーガの正転掘進において、上記中空ロッド（４）と拡大刃ホルダー（５）とが一体的に正転し、それにより拡大刃（３）、（３）が掘削土砂の抵抗により図２のような上記掘削円内での閉縮状態を維持する。
【００１３】
所定深さまで掘進したらスクリューオーガ（Ｓ）を停止し、ついでスクリューオーガを逆転させる。この逆転により、拡大刃開閉装置（Ａ）において、まず拡大刃ホルダー（５）が掘削土砂の抵抗により回転を抑制された状態で、中空ロッド（４）が上記相対的回転可能角度を逆転して、その駆動カム（１５）、（１５）により拡大刃（３）、（３）を若干外方へ揺動させて、その刃先部を図４のように掘削円外の未掘削土に食いこませ、ついで回転規制突起（１３）、（１３）が規制溝（１２）、（１２）の逆転方向溝壁に当接した後は中空ロッド（４）とホルダー（５）とが一体となって逆転を継続し、それにより拡大刃（３）、（３）が未掘削土の抵抗により外方へ拡開して図５のように所期の拡大掘りを行う。
【００１４】
球根造成後スクリューオーガを正転させながら引き上げると、上記正転により、拡大刃開閉装置（Ａ）において、まず中空ロッド（４）が上記相対的回転可能角度を正転して、その駆動カム（１５）、（１５）を元の位置に移動させ、ついで回転規制突起（１３）、（１３）が規制溝（１２）、（１２）の正転方向溝壁に当接した後は中空ロッド（４）とホルダー（５）とが一体となって正転し、それにより拡大刃（３）、（３）が拡大掘り孔から縦孔内に移動するときに縦孔面に押されて直ちに閉縮する。
【００１５】
【発明の効果】
本発明の掘削ロッドの拡大刃開閉装置によれば、拡大掘りに際し掘削ロッドを逆転させることにより駆動部材により拡大刃を外方へ揺動させて未掘削土にその刃先部を食いこませることができ、それにより以後の逆転継続により上記拡大刃を確実に拡開させることができるのである。
【図面の簡単な説明】
【図１】スクリューオーガの先端部分の正面図である。
【図２】図１のＩＩ−ＩＩ線断面図である。
【図３】（イ）拡大刃ホルダーの半切断平面図である。
（ロ）ボルトナットを除いた同上正面図である。
【図４】拡大刃を若干拡開した状態の略線横断面図である。
【図５】拡大刃を拡開した状態の同上図である。
【符号の説明】
Ｓ  スクリューオーガ
３  拡大刃
５  拡大刃ホルダー
１２  回転規制溝
１３  回転規制突起
１５  駆動カム
【図１】
0004019390.tif 000002
【図２】
0004019390.tif 000003
【図３】
0004019390.tif 000004
【図４】
0004019390.tif 000005
【図５】
0004019390.tif 000006